(57)【要約】【課題】  赤目軽減のためのプリ発光によって被写体の表情が強張ることなく自然な笑顔写真を取得することができる電子スチルカメラ及び画像処理プログラムを提供することを目的とする。【解決手段】  スルー画像及び本画像を取得する撮像部と、前記スルー画像から顔を検出する顔検出部と、前記顔検出部により検出された顔の表情を識別する表情識別部と、本画像取得時における本発光、及び前記本発光に先立つ赤目軽減用のプリ発光を行う発光部と、前記表情識別部により前記顔の表情が笑顔であることが識別されたときに、前記発光部による前記プリ発光を禁止する発光制御部と、前記本画像に生じた赤目を補正する赤目補正部とを備える電子スチルカメラ。【選択図】      図１
2010178248.tif 000002
【特許請求の範囲】
【請求項１】
スルー画像及び本画像を取得する撮像部と、
前記スルー画像から顔を検出する顔検出部と、
前記顔検出部により検出された顔の表情を識別する表情識別部と、
本画像取得時における本発光、及び前記本発光に先立つ赤目軽減用のプリ発光を行う発光部と、
前記表情識別部により前記顔の表情が笑顔であることが識別されたときに、前記発光部による前記プリ発光を禁止する発光制御部と、
前記本画像に生じた赤目を補正する赤目補正部と
を備えることを特徴とする電子スチルカメラ。
【請求項２】
請求項１に記載の電子スチルカメラにおいて、
前記撮像部は、前記表情識別部により前記顔の表情が笑顔であることが識別されたときに、前記本画像を取得する
ことを特徴とする電子スチルカメラ。
【請求項３】
請求項１又は請求項２に記載の電子スチルカメラにおいて、
被写体輝度を算出する算出部と、
前記算出部により算出された前記被写体輝度が所定の輝度よりも低輝度である場合に、スルー画像取得時の感度を上げる撮像制御部とをさらに備える
ことを特徴とする電子スチルカメラ。
【請求項４】
請求項１から請求項３までのいずれか１項に記載の電子スチルカメラにおいて、
被写体輝度を算出する算出部と、
前記算出部により算出された前記被写体輝度が所定の輝度よりも低輝度である場合に、前記スルー画像に暗部補正処理を行う暗部補正処理部とをさらに備える
ことを特徴とする電子スチルカメラ。
【請求項５】
請求項３又は請求項４に記載の電子スチルカメラにおいて、
前記スルー画像にノイズリダクション処理を行うノイズリダクション処理部をさらに備える
ことを特徴とする電子スチルカメラ。
【請求項６】
請求項１から請求項５までのいずれか１項に記載の電子スチルカメラにおいて、
前記赤目補正部は、前記撮像部により前記本画像が取得されたときに、前記本画像に生じた赤目を補正する
ことを特徴とする電子スチルカメラ。
【請求項７】
請求項１から請求項５までのいずれか１項に記載の電子スチルカメラにおいて、
前記撮像部により取得された前記本画像を表示する表示部をさらに備え、
前記赤目補正部は、前記表示部により前記本画像が表示されたときに、前記本画像に生じた赤目を補正する
ことを特徴とする電子スチルカメラ。
【請求項８】
請求項７に記載の電子スチルカメラにおいて、
前記発光制御部により前記プリ発光が禁止された場合に、前記プリ発光が禁止されたことを示す情報が付帯された前記本画像を記録する記録部と、
前記本画像を前記表示部に表示する際に、前記記録部に記録された前記本画像から、前記情報が付帯された前記本画像を抽出する抽出部とをさらに備える
ことを特徴とする電子スチルカメラ。
【請求項９】
請求項７又は請求項８に記載の電子スチルカメラにおいて、
前記表示部は、前記本画像とは異なり、且つプリ発光が禁止されたことを示す情報が付帯された画像を表示することが可能であり、
前記赤目補正部は、前記表示部に前記プリ発光が禁止されたことを示す情報が付帯された画像が表示されたときに、該画像に生じた赤目を補正する
ことを特徴とする電子スチルカメラ。
【請求項１０】
請求項７から請求項９までのいずれか１項に記載の電子スチルカメラにおいて、
前記抽出部により抽出された前記本画像又は前記本画像とは異なる画像の少なくとも一方の画像が前記表示部に一覧表示されたときに、該一覧表示から赤目補正の対象となる画像を選択する選択部とをさらに備え、
前記赤目補正部は、前記選択部により選択された前記本画像に生じた赤目を補正する
ことを特徴とする電子スチルカメラ。
【請求項１１】
撮影により得られた画像を受け付ける入力工程と、
前記入力工程により受け付けた画像から、赤目軽減用のプリ発光が禁止されたことを示す情報が付帯された画像を抽出する抽出工程と、
抽出された前記画像を表示部に一覧表示する表示工程と、
前記表示部に一覧表示された前記画像から赤目補正の対象となる画像を選択する選択工程と、
選択された前記画像に生じた赤目を補正する赤目補正工程と
をコンピュータにて実行させることが可能な画像処理プログラム。
【発明の詳細な説明】
【技術分野】
【０００１】
本発明は、画像を取得する電子スチルカメラ及び画像処理プログラムに関する。
【背景技術】
【０００２】
従来から、顔認識の結果に基づいて指定された被写体の情報に基づいて、各種の処理を行う電子カメラが知られている。例えば、特許文献１の電子カメラは、被写体の顔の表情が所定の状態（例えば、目つぶりしていない状態又は笑顔の状態）である場合には、撮影を許可する。一方、上記の条件を満たさない場合には、撮影を許可しない。
【発明の概要】
【発明が解決しようとする課題】
【０００３】
ところで、赤目軽減のためのプリ発光を行った後に、撮影時に本発光を行う電子カメラが一般的に知られている。しかし、上述したカメラでは、赤目軽減のためのプリ発光を行ってしまうと、そのプリ発光によって被写体の表情が強張り、自然な笑顔写真が取得できない可能性がある。
【０００４】
そこで、本発明は、赤目軽減のためのプリ発光によって被写体の表情が強張ることなく自然な笑顔写真を取得することができる電子スチルカメラ及び画像処理プログラムを提供することを目的とする。
【課題を解決するための手段】
【０００５】
本発明の電子スチルカメラは、スルー画像及び本画像を取得する撮像部と、前記スルー画像から顔を検出する顔検出部と、前記顔検出部により検出された顔の表情を識別する表情識別部と、本画像取得時における本発光、及び前記本発光に先立つ赤目軽減用のプリ発光を行う発光部と、前記表情識別部により前記顔の表情が笑顔であることが識別されたときに、前記発光部による前記プリ発光を禁止する発光制御部と、前記本画像に生じた赤目を補正する赤目補正部とを備える。
【０００６】
なお、前記撮像部は、前記表情識別部により前記顔の表情が笑顔であることが識別されたときに、前記本画像を取得しても良い。
【０００７】
また、被写体輝度を算出する算出部と、前記算出部により算出された前記被写体輝度が所定の輝度よりも低輝度である場合に、スルー画像取得時の感度を上げる撮像制御部とをさらに備えても良い。
【０００８】
また、被写体輝度を算出する算出部と、前記算出部により算出された前記被写体輝度が所定の輝度よりも低輝度である場合に、前記スルー画像に暗部補正処理を行う暗部補正処理部とをさらに備えても良い。
【０００９】
また、前記スルー画像にノイズリダクション処理を行うノイズリダクション処理部をさらに備えても良い。
【００１０】
また、前記赤目補正部は、前記撮像部により前記本画像が取得されたときに、前記本画像に生じた赤目を補正しても良い。
【００１１】
また、前記撮像部により取得された前記本画像を表示する表示部をさらに備え、前記赤目補正部は、前記表示部により前記本画像が表示されたときに、前記本画像に生じた赤目を補正しても良い。
【００１２】
また、前記発光制御部により前記プリ発光が禁止された場合に、前記プリ発光が禁止されたことを示す情報が付帯された前記本画像を記録する記録部と、前記本画像を前記表示部に表示する際に、前記記録部に記録された前記本画像から、前記情報が付帯された前記本画像を抽出する抽出部とをさらに備えても良い。
【００１３】
また、前記表示部は、前記本画像とは異なり、且つプリ発光が禁止されたことを示す情報が付帯された画像を表示することが可能であり、前記赤目補正部は、前記表示部に前記プリ発光が禁止されたことを示す情報が付帯された画像が表示されたときに、該画像に生じた赤目を補正しても良い。
【００１４】
また、前記抽出部により抽出された前記本画像又は前記本画像とは異なる画像の少なくとも一方の画像が前記表示部に一覧表示されたときに、該一覧表示から赤目補正の対象となる画像を選択する選択部とをさらに備え、前記赤目補正部は、前記選択部により選択された前記本画像に生じた赤目を補正しても良い。
【００１５】
本発明の画像処理プログラムは、撮影により得られた画像を受け付ける入力工程と、前記入力ステップにより受け付けた画像から、赤目軽減用のプリ発光が禁止されたことを示す情報が付帯された画像を抽出する抽出工程と、抽出された前記画像を表示部に一覧表示する表示工程と、前記表示部に一覧表示された前記画像から赤目補正の対象となる画像を選択する選択工程と、選択された前記画像に生じた赤目を補正する赤目補正工程とをコンピュータにて実行させることが可能である。
【発明の効果】
【００１６】
本発明の電子スチルカメラ及び画像処理プログラムによれば、赤目軽減のためのプリ発光によって被写体の表情が強張ることなく自然な笑顔写真を取得することができる。
【図面の簡単な説明】
【００１７】
【図１】本発明の第１実施形態における電子スチルカメラ１の構成を示すブロック図である。
【図２】第１実施形態の電子スチルカメラ１における笑顔モード時の制御部８の動作を示すフローチャートである。
【図３】第２実施形態の電子スチルカメラ１における再生時の制御部８の動作を示すフローチャートである。
【図４】第２実施形態の電子スチルカメラ１における再生時の表示部１３の例を示す図である。
【発明を実施するための形態】
【００１８】
（第１実施形態）
以下、図面を用いて本発明の第１実施形態について説明する。図１は、本発明の第１実施形態における電子スチルカメラ１の構成を示すブロック図である。図１に示すように、電子スチルカメラ１は、撮像レンズ２、撮像素子３、アナログ処理部４、Ａ／Ｄ変換部５、バッファメモリ６、画像処理部７、制御部８、表示部１３、操作部１４、記録Ｉ／Ｆ部１７、記録媒体１８、閃光発光部１９、バス２０を備える。
【００１９】
撮像レンズ２は、撮像素子３の撮像面に被写体像を結像する。なお、撮像レンズ２は、ズームレンズやフォーカスレンズなどの複数のレンズからなる撮像光学系であっても良い。撮像素子３は、撮像レンズ２を通過した被写体光を光電変換し、Ｒ、Ｇ、Ｂの各色に対応するアナログ画像信号を出力する。電子スチルカメラ１は、笑顔モードを含む複数の撮影モードを有している。笑顔モードは、後述する表情識別部１０により笑顔を識別した場合に、自動的に撮影を行うモードである。撮影モードにおいて、レリーズ釦１５が操作されない撮影待機状態では、撮像素子３は、所定間隔毎に間引き読み出しを行い、スルー画像の元になる画像信号を出力する。その後、撮像素子３は、レリーズ釦１５が全押しされると、撮影待機状態が解除されて、本画像の元になる画像信号を出力する。
【００２０】
アナログ処理部４は、撮像素子３の出力に対してアナログ信号処理を施すアナログフロントエンド回路である。このアナログ処理部４は、ＣＤＳ回路やゲイン回路を内部に有している。アナログ処理部４のＣＤＳ回路は、相関二重サンプリングによって撮像素子３の出力のノイズ成分を低減する。アナログ処理部４のゲイン回路は、制御部８の指示に基づいて入力信号のゲインを増幅する。例えば、制御部８の指示として、被写体輝度が低い場合や、後述する顔検出部９によりスルー画像データから顔が検出されない場合などが挙げられる。上記のゲイン回路では、ＩＳＯ感度に相当する撮像感度の調整を行うことができる。
【００２１】
Ａ／Ｄ変換部５は、アナログ処理部４から出力されたアナログ画像信号をＡ／Ｄ変換し、デジタル画像信号に変換する。このデジタル画像信号は、１コマにまとめられ、画像データとしてバッファメモリ６に記録される。バッファメモリ６は、画像処理部７による画像処理の前工程や後工程で画像データを一時的に記録する。
【００２２】
画像処理部７は、バッファメモリ６に記憶された画像データに対して画像処理を施す。この画像処理としては、周知のホワイトバランス調整、色補間、階調変換処理、輪郭強調処理などが挙げられる。また、画像処理部７は、記録媒体１８に画像データを記録する前にＪＰＥＧ（Joint Photographic Experts Group）形式などで圧縮する処理や、圧縮された上記のデータを伸長復元する処理をも実行する。
【００２３】
また、画像処理部７は、被写体輝度が低い場合や、後述する顔検出部９によりスルー画像データから顔が検出されない場合に、暗部補正やノイズリダクション処理を行う。ここでの暗部補正は、輝度成分の階調を補正する（公知の部分階調補正を含む）もので、例えば、周辺領域の輝度分布によって補正するRetinex理論に基づく処理や、輝度ヒストグラムの分布を均等にするヒストグラムイコライゼーション処理を行う。また、ノイズリダクション処理は、平均化フィルタ、すなわちローパスフィルタ、ガウアシアンフィルタ、メディアンフィルタ等のデジタルフィルタ処理により行う。
【００２４】
制御部８は、所定のシーケンスプログラムにしたがって、電子スチルカメラ１の各部を統括的に制御するとともに、ＡＥ処理やＡＦ処理などを行う。また、制御部８は、顔検出部９、表情識別部１０、赤目検出部１１、輝度算出部１２などの機能を有している。顔検出部９は、スルー画像データ、本画像データ、記録媒体１８に記録された画像データから特徴点を抽出して顔、顔の大きさ等を検出する。例えば、顔検出部９は、特開２００１−１６５７３号公報などに記載された特徴点抽出処理によって顔を抽出する。上記の特徴点としては、例えば、眉、目、鼻、唇の各端点、顔の輪郭点、頭頂点や顎の下端点などが挙げられる。
【００２５】
表情識別部１０は、顔検出部９により検出された顔の表情を識別する。例えば、表情識別部１０は、特開平８−２４９４５３号公報、特開平１０−２５５０４３号公報に示されるように、表情カテゴリとして、怒り、嫌悪、恐れ、悲しみ、笑顔、驚きの合計６種類の基本表情を考え、無表情から各基本表情への時系列画像の処理を行い、表情を識別する。
【００２６】
赤目検出部１１は、本画像データに赤目現象が発生しているか否かを判定する。周知のように、赤目現象は、暗い中で大きく開いた瞳孔から光が入り、眼球内部の毛細血管が無数に走る脈絡膜層に光が反射して黒目が赤く撮影されてしまう現象である。画像処理部７は、赤目検出部１１により赤目現象が発生していると判定された場合に、赤目補正を行う。例えば、赤目検出部１１は、顔検出部９により本画像データから検出された顔の目が相当する位置において、赤色の丸い領域があるか否かを判定する。そして、画像処理部７は、赤色の丸い領域がある場合には、その領域の色情報を、黒色を示す色情報に変更する。輝度算出部１２は、スルー画像データに基づいて、被写体輝度を算出する。
【００２７】
表示部１３は、制御部８の制御により各種の画像を表示する。表示部１３に表示される各種の画像は、スルー画像、本画像、記録媒体１８に記録された画像、メニュー画像などを含む。操作部１４は、レリーズ釦１５、十字キー１６などを有する。レリーズ釦１５は、撮影する際にユーザにより操作される。十字キー１６は、上記のメニュー画像等で操作される。なお、レリーズ釦１５及び十字キー１６の状態は制御部８により検知され、検知された釦の状態に基づいたシーケンスが実行される。記録Ｉ／Ｆ部１７は、記録媒体１８を接続するためのコネクタを備えている。この記録Ｉ／Ｆ部１７と記録媒体１８とが接続されることにより、記録媒体１８に対してデータの書き込み／読み出しを実行する。
【００２８】
閃光発光部１９は、制御部８の制御により、赤目軽減のためのプリ発光時、及び本発光時において、被写体に閃光を照射する。バス２０は、バッファメモリ６、画像処理部７、制御部８、表示部１３、記録Ｉ／Ｆ部１７、閃光発光部１９を相互に接続することにより、データや信号の出入力を実行する。なお、Ａ／Ｄ変換部５の出力はバス２０を介して画像処理部７に接続される。
【００２９】
図２は、第１実施形態の電子スチルカメラ１における笑顔モード時の制御部８の動作を示すフローチャートである。なお、以下、便宜上、１人の人物を撮影するシーンを前提として説明する。
【００３０】
ステップＳ１０１で、制御部８は、笑顔モードを開始する。例えば、制御部８は、撮像素子３を制御して、スルー画像データの取得を開始する。また、輝度算出部１２は、スルー画像データに基づいて、被写体輝度を算出する。そして、制御部８は、被写体輝度が予め設定された値以下の場合には、閃光発光部１９を発光させてフラッシュ撮影すると決定する。以下、閃光発光部１９を発光させる場合について説明する。
【００３１】
ステップＳ１０２で、顔検出部９は、スルー画像データから顔を検出する。
【００３２】
ステップＳ１０３で、制御部８は、ステップＳ１０２で顔が検出されたか否かを判定する。顔が検出されない場合（ステップＳ１０３の判定がＮＯとなる場合）には、ステップＳ１０４に進む。一方、顔が検出された場合（ステップＳ１０３の判定がＹＥＳとなる場合）には、後述するステップＳ１０８に進む。
【００３３】
ステップＳ１０４で、制御部８は、アナログ処理部４のゲインが上限値以上か否かを判定する。ゲインが高くなりすぎると、明部が飽和し、その部分の画像情報が消滅する為である。ゲインが上限値より低い場合（ステップＳ１０４の判定がＮＯとなる場合）には、ステップＳ１０５に進む。一方、ゲインが上限値以上の場合（ステップＳ１０４の判定がＹＥＳとなる場合）には、ステップＳ１０２に戻る。
【００３４】
ステップＳ１０５で、制御部８は、アナログ処理部４を制御して、撮像素子３からの出力信号を増幅させることにより、スルー画像データのゲインアップを行う。これにより、高感度撮影となるため、スルー画像が明るくなり、笑顔識別の精度を向上させることができる。なお、制御部８は、段階的にゲインアップを行う。
【００３５】
ステップＳ１０６で、制御部８は、画像処理部７を制御して、スルー画像データに暗部補正を行う。これにより、スルー画像の暗い部分が明るくなるため、笑顔識別の精度を向上させることができる。
【００３６】
ステップＳ１０７で、制御部８は、画像処理部７を制御して、スルー画像データにノイズリダクション処理を行う。これにより、ゲインアップ及び暗部補正により発生したノイズを減らすことができる。その後、ステップＳ１０２に戻り、顔検出部９は、再びスルー画像データから顔を検出する。これにより、スルー画像データから顔が検出されるまで、ステップＳ１０２からステップＳ１０７までの処理が繰り返される。
【００３７】
ステップＳ１０８で、制御部８は、アナログ処理部４を制御して、ゲインを固定する。
【００３８】
ステップＳ１０９で、表情識別部１０は、ステップＳ１０２で検出された顔が笑顔か否かを判定する。笑顔である場合（ステップＳ１０９の判定がＹＥＳとなる場合）には、ステップＳ１１０に進む。一方、笑顔でない場合（ステップＳ１０９の判定がＮＯとなる場合）には、ステップＳ１０２に戻り、スルー画像データからの顔の検出を継続する。
【００３９】
ステップＳ１１０で、制御部８は、閃光発光部１９を制御して、本発光を行う。また、制御部８は、撮像素子３を制御して、本画像データを取得する。
【００４０】
ステップＳ１１１で、顔検出部９は、ステップＳ１１０で取得した本画像データから顔を検出する。そして、赤目検出部１１は、本画像データから検出された顔に赤目現象が発生しているか否かを判定する。例えば、赤目検出部１１は、本画像データから検出された顔の目が相当する位置において、赤色の丸い領域があるか否かを判定する。赤色の丸い領域がある場合（ステップＳ１１１の判定がＹＥＳとなる場合）には、ステップＳ１１２に進む。一方、赤色の丸い領域がない場合（ステップＳ１１１の判定がＮＯとなる場合）には、ステップＳ１１３に進む。
【００４１】
ステップＳ１１２で、制御部８は、画像処理部７を制御して、本画像データに赤目補正を行う。例えば、画像処理部７は、ステップＳ１１１で検出された赤色の丸い領域の色情報を、黒色を示す色情報に変更する。このとき、制御部８は、ステップＳ１１０で取得した本画像とともに、「赤目補正を行っています。」等のメッセージを表示部１３に表示することが好ましい。
【００４２】
ステップＳ１１３で、制御部８は、ステップＳ１１０で取得された本画像データ又はステップＳ１１２で赤目補正された本画像データを記録媒体１８に記録し、一連の処理を終了する。なお、制御部８は、赤目軽減のためのプリ発光が禁止されたことを示す情報を、タグ情報の一つとして、本画像データに付帯した状態で記録することが好ましい。
【００４３】
なお、第１実施形態では、笑顔モード時に、赤目軽減のためのプリ発光を禁止する例を示したが、これに限らない。例えば、笑顔識別とは無関係に、レリーズ釦１５の全押しにより本画像データを取得する場合にも、赤目軽減のためのプリ発光を禁止する。そして、レリーズ釦１５の全押しにより取得された本画像データに対して、ステップＳ１１１以降の処理を行っても良い。
【００４４】
また、第１実施形態では、ゲインアップと暗部補正とノイズリダクション処理とを行う例を示したが、これに限らない。例えば、ゲインアップとノイズリダクション処理との組み合わせ、又は暗部補正とノイズリダクション処理との組み合わせでも良い。
【００４５】
また、第１実施形態では、ステップＳ１０５でスルー画像データのゲインアップを行うことにより、笑顔識別の精度を向上させたが、これに限らない。例えば、スルー画像を明るくする露出補正を行うことにより、笑顔識別の精度を向上させても良い。
【００４６】
また、第１実施形態では、ステップＳ１１０で取得した本画像データに赤目現象が発生している場合には、自動的に赤目補正を行う例を示したが、これに限らない。例えば、ステップＳ１１２の前に、ユーザから十字キー１６を介して、赤目補正を行うか否かの選択を受け付けても良い。
【００４７】
また、第１実施形態では、ゲインアップ及び暗部補正後に、ステップＳ１０７でノイズリダクション処理を行う例を示したが、これに限らない。例えば、ステップＳ１０５のゲインアップ後に、ノイズリダクション処理を行っても良い。
【００４８】
また、一般的に被写体が子供である場合には、赤目現象が起きやすいと言われている。また、子供は、赤目軽減のためのプリ発光に驚いてしまう可能性が高い。そのため、例えば、制御部８は、ステップＳ１０３で顔が検出された場合には、特開２００７−２８０２９１号公報に記載された推論処理を用いて、被写体の年齢を推定する。そして、制御部８は、被写体の年齢が閾値以下である場合には、子供と推定し、優先的に赤目軽減のためのプリ発光を禁止しても良い。
【００４９】
また、ステップＳ１０４におけるアナログ処理部４のゲインの上限値は、ステップＳ１０１におけるアナログ処理部４のゲインの４倍としても良い。
【００５０】
従来の電子スチルカメラでは、笑顔モードにおいて、赤目軽減のためのプリ発光を行ってしまうと、そのプリ発光によって、被写体の表情が強張る可能性がある。そのため、せっかく笑顔を自動撮影しようというのに、プリ発光によって、笑顔が撮影できなくては機能が有効に活かされない。かといって、赤目軽減のためのプリ発光を禁止してしまっては、赤目写真が撮影されてしまう可能性が高く、かりに笑顔写真が撮影されたとしても、赤目ではポートレート写真としては台無しである。また、フラッシュを必要とするような暗い環境では、スルー画像で顔面が暗く撮影されやすく、笑顔識別の精度が低下することがある。さらに、被写体が笑顔となるシャッターチャンスの際に、赤目軽減のためのプリ発光を行うと、レリーズタイムラグが起こってしまう。
【００５１】
そこで、第１実施形態の電子スチルカメラ１は、笑顔モード時にたとえ被写体輝度が低い場合であっても、赤目軽減のためのプリ発光を禁止する。また、第１実施形態の電子スチルカメラ１は、スルー画像データのゲインアップや暗部補正を行うことにより、笑顔識別の精度を向上させる。ただし、ゲインアップや暗部補正によって画質が粗くなるので、ノイズリダクション処理を実行する。
【００５２】
したがって、第１実施形態の電子スチルカメラ１によれば、被写体の表情が強張ることなく、自然な笑顔写真を取得することができる。一方、この笑顔写真に発生した赤目現象は、赤目補正されるので、ポートレート写真としての不自然さを解消することができる。さらに、第１実施形態の電子スチルカメラ１によれば、赤目軽減のためのプリ発光を禁止することにより、レリーズタイムラグを防止するため、シャッターチャンスを逃すおそれをなくすことができる。
【００５３】
（第２実施形態）
以下、本発明の第２実施形態について説明する。第１実施形態では、本画像データを取得した後に、赤目補正を行う例を示した。第２実施形態では、本画像データを取得した後に赤目補正を行わずに、再生時に赤目補正を行う例を示す。ここで、以下の実施形態における電子スチルカメラ１の構成は、図１に示す第１実施形態の電子スチルカメラ１と共通するので重複説明は省略する。
【００５４】
図３は、第２実施形態の電子スチルカメラ１における再生時の制御部８の動作を示すフローチャートである。なお、便宜上、１人の人物を撮影した画像を前提として説明する。
【００５５】
ステップＳ２０１で、制御部８は、再生モードを開始する。
【００５６】
ステップＳ２０２で、制御部８は、赤目現象が発生した画像データに赤目補正を行うレタッチモードを開始する。以下、このレタッチモードを「赤目レタッチモード」として説明する。
【００５７】
ステップＳ２０３で、制御部８は、記録媒体１８に記録された画像データに付帯されるタグ情報として、赤目軽減のためのプリ発光が禁止されたことを示す情報があるか否かを判定する。そして、制御部８は、赤目軽減のためのプリ発光が禁止されたことを示す情報がある場合には、その情報が付帯された画像データを読み出す。そして、制御部８は、図４（１）に示すように、読み出した画像データに対応するサムネイル画像の一覧を表示部１３のサムネイル画像表示領域３１に表示する。また、制御部８は、「画像を選択して下さい。」等のメッセージを表示部１３に表示する。
【００５８】
ステップＳ２０４で、制御部８は、ユーザから十字キー１６を介して、ステップＳ２０３で表示したサムネイル画像の一覧からいずれかの画像の選択を受け付ける。例えば、図４（１）の画像３２が選択されたとする。
【００５９】
ステップＳ２０５で、制御部８は、図２のステップＳ１１２と同様の処理を行い、画像３２の元になる画像データに赤目補正を行う。このとき、制御部８は、図４（２）に示すように、画像３２とともに、「赤目補正を行っています。」等のメッセージを表示部１３に表示することが好ましい。
【００６０】
ステップＳ２０６で、制御部８は、赤目補正後の画像データを用いた画像３３を表示部１３に表示する（図４（３）参照）。
【００６１】
ステップＳ２０７で、制御部８は、ユーザから十字キー１６を介して、赤目補正後の画像データを記録するか否かの選択を受け付ける。記録する場合（ステップＳ２０７の判定がＹＥＳとなる場合）には、ステップＳ２０８に進む。一方、記録しない場合（ステップＳ２０７の判定がＮＯとなる場合）には、一連の処理を終了する。
【００６２】
ステップＳ２０８で、制御部８は、赤目補正後の画像データを記録媒体１８に記録し、一連の処理を終了する。
【００６３】
なお、第２実施形態では、電子スチルカメラ１で取得した画像データに対して赤目補正を行う例を示したが、これに限らない。例えば、記録媒体１８には、電子スチルカメラ１で取得した画像データの他に、他の電子スチルカメラで取得した画像データが記録されている場合がある。そのため、制御部８は、他の電子スチルカメラで取得した画像データが記録媒体１８に記録されている場合にも同様に、その画像データに付帯されたタグ情報を参照し、赤目軽減のためのプリ発光が禁止されたことを示す情報があるか否かを判定する。そして、制御部８は、赤目軽減のためのプリ発光が禁止されたことを示す情報がある場合には、その情報が付帯された画像データを読み出し、ステップＳ２０３で一覧表示しても良い。また、制御部８は、タグ情報に関係なく、記録媒体１８に赤目現象が発生している画像データが記録されている場合には、その画像データを読み出し、ステップＳ２０３で一覧表示しても良い。
【００６４】
また、第２実施形態では、１つの画像データに対して赤目補正を行う例を示したが、複数の画像データにも適用できる。例えば、ステップＳ２０４で制御部８は、複数の画像の選択を受け付ける。そして、ステップＳ２０５で制御部８は、画像処理部７を制御して、複数の画像データに対して赤目補正を行っても良い。この場合、一括して赤目補正を行うことができる。又は、制御部８は、ステップＳ２０８で赤目補正後の画像データを記録した後に、ステップＳ２０３に戻り、既に赤目補正された画像を除いた画像を一覧表示する。そして、ステップＳ２０３からステップＳ２０８までの処理を繰り返しても良い。この場合、１枚ずつ赤目補正を行うことができる。
【００６５】
以上説明したように、第２実施形態の電子スチルカメラ１は、赤目軽減のためのプレ発光が禁止されたことを示す情報が付帯された画像データに対して赤目補正を行う。したがって、第２実施形態の電子スチルカメラ１によれば、第１実施形態と同様に、自然な笑顔写真を取得することができる。
【００６６】
また、第２実施形態の電子スチルカメラ１は、再生モードを開始すると、赤目レタッチモードを開始する。そのため、ユーザがメニュー画像から赤目レタッチモードを探す手間を省くことができる。したがって、第２実施形態の電子スチルカメラ１によれば、効率よく、自然な笑顔写真を取得することができる。
【００６７】
（実施形態の補足）
（１）第１実施形態及び第２実施形態では、電子スチルカメラの例を示したが、これに限らない。例えば、コンピュータに搭載されるプログラムに、第１実施形態及び第２実施形態における赤目補正を行う手順に示す機能を備えることも可能である。この場合、予め画像処理プログラムを記録媒体に格納しておき、コンピュータに接続した後に、この画像処理プログラムを実行させるか、又はインストールさせることが可能である。
（２）第１実施形態では、１人の人物を撮影するシーンを説明したが、複数の人物が含まれるシーンを撮影する場合であっても、それぞれの人物に対して赤目補正を行うことができる。また、第２実施形態についても同様に、複数の人物を撮影した画像であっても、それぞれの人物に対して赤目補正を行うことができる。
（３）第１実施形態及び第２実施形態では、赤目検出部１１により赤目現象が生じているか否かを判定し、画像処理部７により赤目補正を行っているが、これに限らない。例えば、画像処理部７により、赤目現象が生じているか否かを判定しても良い。また、本画像又は記録媒体１８に記録された画像を表示部１３に表示し、ユーザから十字キー１６を介して、赤目現象が生じている目の位置の指定を受け付けても良い。
【符号の説明】
【００６８】
１…電子スチルカメラ、３…撮像素子、４…アナログ処理部、７…画像処理部、８…制御部、１３…表示部、１４…操作部、１８…記録媒体、１９…閃光発光部
【先行技術文献】
【特許文献】
【００６９】
【特許文献１】特開２００７−２８２１１９号公報
【図１】
2010178248.tif 000003
【図２】
2010178248.tif 000004
【図３】
2010178248.tif 000005
【図４】
2010178248.tif 000006